(57)【特許請求の範囲】
【請求項１】
機枠と、版胴と、前記版胴を回転可能に支持しつつ機枠内の印刷位置と機枠外の取り出し位置との間に移動する枠体と、前記機枠より回転可能に且つ中心軸線に沿って所定の範囲内にて移動可能に支持された裏押しローラと、前記機枠より支持されて印刷用紙を前記版胴と前記裏押しローラの間の挟み領域へ向けて給送する印刷用紙供給手段とを有し、前記印刷位置に於ける前記枠体の版胴中心軸線に沿う位置の微調節により印刷画像の左右位置の調節を行う構造の版胴式印刷装置にして、前記印刷位置にある前記枠体の印刷画像左右位置調節のための版胴中心軸線に沿う移動に前記裏押しローラの中心軸線に沿う移動を追従させる枠体−裏押しローラ連動手段を有することを特徴とする版胴式印刷装置。
【請求項２】
前記裏押しローラをその中心軸線に沿って前記枠体の機枠外への取り出し方向に弾力的に付勢する付勢手段を有し、前記枠体−裏押しローラ連動手段は前記枠体が前記版胴を機枠内の前記印刷位置にもたらすよう移動するときその移動の最終段階にて該枠体の移動を前記付勢手段に抗して前記裏押しローラに伝達する手段を有することを特徴とする請求項１に記載の版胴式印刷装置。
【発明の詳細な説明】
【０００１】
【発明の属する技術分野】
本発明は、版胴式印刷装置に係り、特に用紙に対する印刷画像左右位置の調節を行う印刷画像左右位置調節機構を備えた版胴式印刷装置に係る。
【０００２】
【従来の技術】
円筒状版胴を枠体にて回転自在に軸支しているドラムユニットを、印刷機本体即ち機枠に対して版胴の軸長手方向に摺動可能とし、この摺動端にて手操作により機枠に着脱自在としている孔版印刷装置に於て、機枠に設けたドラムユニットの摺動方向への案内手段と、前記摺動方向にドラムユニットを前記案内手段に沿って微少距離移動させる運動伝達系と、該運動伝達系に駆動力を与えるモータと、前記運動伝達系をドラムユニットに対して任意に連結し、或は該連結を絶つ連断手段を有することを特徴とする孔版印刷装置の画像左右位置調節装置が、平成8年10月9日発行の第２５４２４８９号特許公報に記載されている。
【０００３】
又、上記の特許公報に記載されている孔版印刷装置の画像左右位置調節装置に於ては、印刷画像左右位置の調節のために、ドラムユニット全体が、それを機枠に着脱可能に装着するための案内手段により摺動されるようになっているが、この種のドラムユニットは、全体の重量が約１０ｋｇ或はそれ以上のかなりの重さのものであり、その長さは約４０ｃｍ或はそれ以上に及び又その直径は約２０ｃｍ程もあるので、かかる重量と嵩張りを有するドラムユニットを機枠に対し案内する前記案内手段は、繊細さよりも強靭さを要求される構造のものであるのに対し、印刷用紙上に施される印刷画像の左右位置の調節は、高々１０ｍｍ程度であり、その繊細度は多くの場合１ｍｍ以下の繊細度を要求され、しかも調節の精度は高ければ高いほど好ましいものであることに鑑み、版胴をその中心軸線の周りに回転可能に担持する第一の枠体と、前記第一の枠体を版胴の中心軸線に沿う方向に印刷画像の左右位置調節代の最大値に相当する程度の距離だけ移動可能に担持する第二の枠体とを有し、機枠に対する版胴の出し入れは機枠に対する第二の枠体の大まかな係脱関係に委ね、印刷画像の左右位置の調節は第二の枠体に対する第一の枠体の繊細な移動関係に委ねるようにした印刷画像左右位置の調節可能な版胴式印刷装置が、特願平１１−０００６７６号に於いて提案されている。
【０００４】
【発明が解決しようとする課題】
いずれにしても上記の如く印刷画像の左右位置の調節のために版胴がそれを支持する枠体により版胴中心軸線に沿って機枠に対し偏倚されると、裏押しローラは機枠より通常その中心軸線に沿う方向には固定された状態にて回転可能に支持されているので、印刷画像の左右位置の調節に伴って版胴と裏押しローラとの間の軸線方向の相対位置が変化する。この場合、特に版胴がその軸線方向両端部を一対の円板部材にて構成され、その間に多孔性シート材が円筒状に張り渡された構造の可撓性周壁を有する孔版印刷用版胴であって、印刷に際して版胴外周面に裏押しローラが印刷用紙を挟んで押し付けられると版胴外周面が半径方向内向きに撓んだり、或いは逆に印刷時には版胴の内部に設けられたインク付けローラが多孔性シート材よりなる円筒面を内側から半径方向外方へ押出すようになっている孔版印刷用版胴であるときには、版胴と裏押しローラとの間の軸線方向の相対位置が変化することは、版胴の両軸端部に於ける多孔性シート材円筒体の撓み特性にかなりの変化をもたらし、両軸端に近接した領域に於いて印刷画像に濃度斑や仕上りの劣化をもたらし、印刷物の幅方向の全域に亙って均一な印刷濃度や仕上りを得る上で支障が生ずる。
【０００５】
本発明は、印刷画像左右位置調節機構を備えた版胴式印刷装置に於ける上記の如き問題に鑑み、そのような問題が生ずる恐れがないよう改良された版胴式印刷装置を提供することを課題としている。
【０００６】
【課題を解決するための手段】
かかる課題を達成すべく、本発明は、機枠と、版胴と、前記版胴を回転可能に支持しつつ機枠内の印刷位置と機枠外の取り出し位置との間に移動する枠体と、前記機枠より回転可能に且つ中心軸線に沿って所定の範囲内にて移動可能に支持された裏押しローラと、前記機枠より支持されて印刷用紙を前記版胴と前記裏押しローラの間の挟み領域へ向けて給送する印刷用紙供給手段とを有し、前記印刷位置に於ける前記枠体の版胴中心軸線に沿う位置の微調節により印刷画像の左右位置の調節を行う構造の版胴式印刷装置にして、前記印刷位置にある前記枠体の印刷画像左右位置調節のための版胴中心軸線に沿う移動に前記裏押しローラの中心軸線に沿う移動を追従させる枠体−裏押しローラ連動手段を有することを特徴とする版胴式印刷装置を提案するものである。
【０００７】
上記の如き版胴式印刷装置の構成によれば、版胴を担持する枠体が機枠に対し版胴中心軸線に沿う方向にその位置を調節されることにより、機枠より支持された印刷用紙供給手段により給送される印刷用紙の幅方向に対し版胴の位置が可変に調節されて印刷画像の左右位置の調節がなされるとき、版胴の中心軸線に沿う移動に追従して裏押しローラもその中心軸線に沿う方向に移動するので、印刷画像の左右位置の調節の如何に拘らず版胴と裏押しローラとの間の軸線方向相対位置は常に所定の標準状態に保たれ、印刷画像の左右位置の調節に拘らず印刷物の幅方向全体に亙って印刷の濃度や仕上りを所定の安定した状態に維持することができる。
【０００８】
上記の如き版胴式印刷装置は、前記裏押しローラをその中心軸線に沿って前記枠体の機枠外への取り出し方向に弾力的に付勢する付勢手段を有し、前記枠体−裏押しローラ連動手段は前記枠体が前記版胴を機枠内の前記印刷位置にもたらすよう移動するときその移動の最終段階にて該枠体の移動を前記付勢手段に抗して前記裏押しローラに伝達する手段を有しているのが好ましい。
【０００９】
かかる構成によれば、版胴を担持した枠体を印刷位置より機枠外へ取り出しまたそれを機枠内の印刷位置へ装填する版胴の取り出し或は再装填に当って、裏押しローラは常に自動的に版胴の軸線方向位置に対し整合される。
【００１０】
【発明の実施の形態】
以下に添付の図を参照して本発明を実施例について詳細に説明する。
【００１１】
添付の図1は本発明による印刷画像左右位置調節機構を備えた版胴式印刷装置の一つの実施例をその要部について解図的に示す平断面図であり、図2及び図３はそれぞれ図1の版胴式印刷装置を断面II−II及びIII−IIIに於て矢印方向に見た解図的断面図である。これらの図に於て、１０は印刷装置の所謂ハウジングをなす機枠の一部を示しており、従ってこれらの部分は後述の版胴の移動にとっては固定された部分である。
【００１２】
１２にて全体的に示された版胴は、その一端部をなす剛固な皿状部材１４と、その他端部をなす剛固な環状部材１６と、それらの間に橋渡しされて両者を剛固に連結する剛固な横桁部材１８と、皿状部材１４と環状部材１６の互いに整合した外周面の周りにそれに沿って両側縁部にて載置された展開形状が矩形状の多孔シート２０とを有している。図には詳細には示されていないが、多孔シート２０の周方向一端部２０ａは横桁部材１８の一方の側縁に沿ってそれに固定されており、該多孔シートの周方向他端２０ｂは横桁部材１８の他方の側縁に沿う部分にて周方向に移動可能に保持されている。皿状部材１４には周縁に歯車を備えた歯車部材２２が固定されており、皿状部材１４と歯車部材２２の中心部にはそれぞれに孔２４及び２６が形成されており、これらの孔は互いに整合して版胴の中心軸線に沿った孔を形成している。環状部材１６にはその内周面に滑らかな表面の環軌道２８が形成されている。
【００１３】
版胴１２は、その一端部を形成する皿状部材１４に設けられた中心孔２４及びそれに整合した歯車部材２２の中心孔２６を通って貫通する第一の軸部３０と、それより二股に分かれて版胴の他端部を形成する環状部材１６より突き出る方向に延在する第二の軸部３２及び第三の軸部３４とを備えた第一の枠体３６により、中心軸線３８の周りに回転可能に支持されている。この場合、版胴は皿状部材１４の部分にてはラジアル／スラスト軸受４０により第一の軸部３０に対しラジアル方向及びスラスト方向に軸受されており、環状部材１６の部分にては第二及び第三の軸部３２及び３４に固定された端板４２に回転式に取り付けられた４個のローラ４４、４６、４８、５０が環状部材１６の環軌道２８に当接して転動することにより、中心軸線３８の周りに回転するよう支持されている。
【００１４】
皿状部材１４及び環状部材１６は、各々その互いに軸線方向に対向する環状壁の端部にその内周面に沿って環状歯５２及び５４を形成されており、これらの環状歯には軸５６にて互いに連結されたピニオン５８及び６０が噛み合っている。軸５６は第三の軸部３４よりアーム６２及び６４にて回転可能に支持されている。かかる構造により、後述の要領にて歯車部材２２より皿状部材１４に加えられた回転駆動力は、環状歯５２よりピニオン５８、軸５６、ピニオン６０、環状歯５４を経て環状部材１６へ伝えられ、皿状部材１４、環状部材１６、横桁部材１８、多孔シート２０により構成された版胴１２は、歯車部材２２に加えられる回転駆動力により捩れを生ずることなく回転駆動される。
【００１５】
第一の枠体３６は、以下の要領にて、第二の枠体６６により中心軸線３８に沿って印刷画像左右位置調節代の最大値に相当する距離だけ移動可能に担持されている。
【００１６】
即ち、第二の枠体６６は、図１に現れている如く矩形状の枠体であり、中心軸線３８に沿ってみてその一端部をなす端辺部６８に中心軸線３８に整合して設けられた孔７０には軸受７２を介してナット部材７４の軸部７６が回転可能に装着されている。ナット部材７４は中心軸線３８に整合したねじ孔７８を有し、該ねじ孔には第一の枠体３６の第一の軸部３０の端部がそこに切られたねじ部にて係合している。ナット部材７４は歯車部８０を備えており、この歯車部に係合してピニオン８２が端辺部６８に回転可能に装着され、更にピニオン８２に係合してピニオン８４が端辺部６８に回転可能に装着され且つステップモータ８６により回転駆動されるようになっている。
【００１７】
第二の枠体６６の他方の端辺部８８は、第一の枠体３６の第二及び第三の軸部３２及び３４を貫通させる位置に孔９０及び９２を備えており、これらの孔の部分にてそれぞれ摺動案内要素９４及び９６を介して該第二及び第三の軸部３２及び３４の端部を中心軸線３８に平行な方向に摺動可能に支持している。
【００１８】
第二の枠体６６の両側辺部９８及び１００には、それぞれバー１０２及び１０４に取り付けられており、バー１０２及び１０４はそれぞれ機枠１０に固定された案内レール部材１０６及び１０８の長手方向溝１１０及び１１２に係合している。第二の枠体６６は、これらのバー１０２及び１０４が対応するレール部材１６及び１０８の長手方向溝１１０及び１１２に沿って摺動することにより、中心軸線３８に沿う方向に、図１に示されている如き機枠内の装填位置、即ち印刷位置と、これより機枠に対して図にて左方へ移動した取り出し位置との間で、移動できるようになっている。
【００１９】
第二の枠体６６の案内レール部材１０６及び１０８に沿った図１に示す印刷位置への装填状態は、機枠１０より支持された枢軸１１４及び１１６の各々によりその周りに枢動可能に支持されたロック部材１１８及び１２０が、それぞればね要素１２２及び１２４により付勢されて、第二の枠体の端辺部８８の両端の角部に係合することにより保持されるようになっている。ロック部材１１８及び１２０は、それぞれレバー部１２６及び１２８によりばね要素１２２及び１２４のばね力に抗して枢軸１１４及び１１６の周りに回動されることにより、第二の枠体６６との係合より外されるようになっている。１２７及び１２９はレバー部１２６及び１２８に対するストッパである。
【００２０】
第二の枠体６６には図にて１３０により解図的に示されているインク容器及びインクポンプのための棚部材が一体に取り付けられている。又版胴１２内には、インク付けローラ１３２が設けられており、その両端の軸部１３４及び１３６の部分にて図３に解図的に示されている如く第一の枠体の第二の軸部３２と第三の軸部３４とに装着された一対のアクチュエータ１３８及び１４０の図３にて上下に移動するアーム１４２及び１４４により軸受１４３及び１４５を介してその中心軸線の周りに回転可能により支持されており、更に軸１３６に設けられた歯車１４６と噛み合う歯車を含む図には示されていない回転力伝達手段により、版胴１２の回転に同期して中心軸線の周りに回転駆動されるようになっている。アクチュエータ１３８及び１４０は版胴の回転に同期して互いに同時に作用され、インク付けローラ１３２を図３に示されている後退位置と、これより下方へ偏位されて版胴の可撓性周壁部を下方へ押し出す押出し位置との間に移動させる。更にドクターロッド１４８が図には示されていない取り付け手段により第一の枠体３６より支持された状態に取り付けられている。
【００２１】
第一の枠体３６は、その第二及び第三の軸部３２及び３４の部分にて端板４２と第二の枠体の端辺部８８との間に作用するようこれら第二及び第三の軸部の周りに装着された圧縮コイルばね１５０及び１５２により、第二の枠体６６に対し図１にて右方へ移動する方向に弾力的に付勢されており、ナット部材７４をその軸部７６が軸受７２に係合した位置に保持している。
【００２２】
版胴１２が図１に示されている軸線方向位置及びこれより中心軸線３８に沿う方向に図にて左右に印刷画像左右位置調節代の範囲内にて移動するとき、版胴１２の歯車部材２２には図２によりよく示されている如き歯車１５４が噛み合うようになっている。歯車１５４は、図にて解図的に示された版胴のための回転駆動手段１５６により、版胴の回転駆動のために駆動されるようになっている。
【００２３】
版胴１２が印刷位置にあるとき、版胴の多孔シート２０により形成された外周面には、中心軸線１５８の周りに回転する裏押しローラ１６０の外周面が近接して対向するようになっており、印刷に当たってはインク付けローラ１３２がアクチュエータ１３８、１４０の作動によりアーム１４２、１４４を経て図３にて下方へ即ち版胴の半径方向外方へ向けて偏倚され、多孔シート２０よりなる外周面の一部を裏押しローラ１６０の外周面に対しその間にここへ供給された印刷用紙を挟んで押し付けることにより、図には示されていない印刷用紙供給手段により版胴と裏押しローラの間の挟み領域１６２へ供給される印刷用紙に対し多孔シート２０よりなる版胴の外周面上に装着された孔版原紙の穿孔部を経てインク付けローラ１３２により押し出されて来るインクにより印刷画像が施されるようになっている。
【００２４】
裏押しローラ１６０はそれを貫通して延在する裏押しローラ軸１６４により担持されており、裏押しローラ軸１６４はその両端部近くにて軸受装置１６６及び１６８により機枠１０より支持されている。裏押しローラ軸１６４の一端部には歯車１７０が取り付けられており、裏押しローラ１６０はこの歯車１７０を経て図には示されていない裏押しローラ駆動手段により版胴１２の回転に同期してその周速が版胴の周速と一致するように駆動されるようになっている。第一の枠体３６の端板４２からはこれに一端にて固定された腕部材１７２が裏押しローラ軸１６４の側へ向けて延在しており、その端部は版胴が印刷位置に装填されたとき枢軸１７４にて機枠１０に揺動可能に装着された揺動レバー１７６の一端に係合する。揺動レバー１７６の他端は枢軸１７８にて機枠１０に揺動可能に装着された揺動レバー１８０の一端に係合している。揺動レバー１８０の他端には裏押しローラ軸１６４の他端を回動可能に受け入れ且つその図３にて左方へ向かう移動をスラスト軸受１８２を介して規制するスラストボックス１８４が設けられている。
【００２５】
裏押しローラ軸１６４の一端に固定された歯車１７０の外端部にはスラスト軸受１８６を経て機枠１０より一端を支持された圧縮コイルばね１８８が作用しており、歯車１７０及びそれと固定された裏押しローラ軸１６４を図３で見て左方へ向けて付勢している。従って第二の枠体５２が図１及び図３に示されている如く機枠１０内の所定の装填位置即ち印刷位置にもたらされ、それに伴って第一の枠体３６が印刷画像左右位置調節範囲内にて版胴を印刷位置にもたらす状態に設定されているときには、その端板４２により支持された腕部材１７２は揺動レバー１７６と揺動レバー１８０を介してスラストボックス１８４の位置を規制し、これによって裏押しローラ軸１６４の図３に於ける左端の位置が版胴１２の軸線方向位置に対応して規制され、裏押しローラ１６０の軸線方向位置は印刷画像左右位置調節のための第二の枠体６０に対する第一の枠体３６の軸線方向位置の変化に拘らず常に版胴１２の軸線方向位置に整合した位置に設定される。
【００２６】
また図３に示されている如き正規の設定状態から版胴が第一及び第二の枠体と共に図３にて左方へ向けて機枠外へ取り出されたときには、裏押しローラ１６０は圧縮コイルばね１８８の作用により歯車１７０及び裏押しローラ支持軸１６４と共に歯車１７０が軸受１６８の一端に当接するまで図にて左方へ押しやられた状態に保たれる。そして版胴が第一及び第二の枠体と共に再び機枠内へ装填されると、腕部材１７２が揺動レバー１７６の上端に係合した後、スラストボックス１８４が再び裏押しローラ軸１６４の図にて左端に押し付けられ、これを図にて右方向へ押しやることにより、裏押しローラ１６０は再び版胴１２と軸線方向位置に関し整合した位置にもたらされる。
【００２７】
図４及び図５は、図１〜図３に示された実施例に於ける裏押しローラ１６０が版胴１２に比して小径のローラとされ、印刷に当っての版胴と裏押しローラとの間の押し合せが版胴に対する裏押しローラの押し合せ偏位によって行われるようになっている点に於て図１〜図３に示された実施例と異なっている、本発明の他の一つの実施例を示す図２及び図３に対応する解図的断面図である。尚、図２及び図３に示されている実施例より図４及び図５に示されている実施例に構造が修正されることにより、図４及び図５の実施例に対する平面図も当然図１とは異なってくる筈であるが、図１では図を明瞭にするためアクチュエータ１３８、１４０や腕部材１４２、１４４等が省略されていることから、図示されている構造に関する限り、図１は図４及び図５の実施例にも概略相当するので、図４及び図５の実施例に対する平面図としては図１を以ってこれに当てるものとする。
【００２８】
図４及び図５の実施例に於ては、裏押しローラ１９０はそれを中心軸線に沿って貫通してその両端より突き出た軸１９２の両端部にて一対の揺動アーム１９４及び１９６により軸受１９８及び２００を介して支持されており、これら一対の揺動アームが軸２０２により機枠１０に枢着されて該軸２０２の周りに図には示されていない裏押しローラ揺動機構により揺動されることにより、図４又は図５で見て上下に移動され、印刷時には挟み領域１６２へ供給された印刷用紙を挟んで図示の位置より上昇し、印刷用紙を多孔性シート２０にて構成された版胴１２の外周壁に対し押し付けるようになっている。
【００２９】
裏押しローラ１９０の揺動アーム１９６に面する端部にはスラスト軸受２０４が設けられており、スラスト軸受２０４と揺動アーム２００の間には圧縮コイルばね２０６が設けられ、これによって裏押しローラ１９０は常時圧縮コイルばね２０６により揺動アーム１９６に対し、従って又揺動アーム１９６を軸２０２にて揺動可能ではあるが該軸の軸線方向には固定された位置にて支持する機枠１０に対し、図５にて左方へ可撓的に押圧された状態にて、裏押しローラ１９０は一対の揺動アーム１９４、１９６により回転可能に支持されている。
【００３０】
裏押しローラ軸１９２の図５に於ける左端部には、図１〜図３の実施例に於けると同様のスラスト軸受１８２を備えたスラストボックス１８４が係合されている。この場合、スラストボックス１８４は第一の枠体の端板４２より延在する腕部材１７２の下端を摺動式に受け入れるＵ字型の横断面形状を有するポスト２０８を備えており、機枠１０に対する版胴１２の出入に伴なって、その図５で見て左方の開いた側より腕部材１７２の下端がＵ字型横断面のポスト２０８内へ出入するようになっている。ポスト２０８は図５の一部に断面Ａ−Ａとして示されている如く、同じくＵ字型横断面を有し機枠１０に装着された音叉状の案内装置２１０の一対の脚部間に摺動式に受けられている。
【００３１】
かかる構成により、版胴１２が第一及び第二の枠体３６及び６６と共に着枠内の印刷位置より木枠外へ引き出されると、図５で見て腕部材１７２の左方への移動に応じて裏押しローラ１９０は圧縮コイルばね２０６の作用により左方へ押され、裏押しローラの左端が揺動アーム１９４の軸受１９８に当接したところでその左方への移動は止まる。その間スラストボックス１８４の移動はポスト２０８が案内装置２１０内に案内された状態にて生ずる。軸１９２の端部とスラストボックス１８４との係合は軸線方向には抜けないように係止手段が設けられており、従ってその後腕部材１７２はポスト２０８の左方の開口より離れていく。
【００３２】
版胴１２が再び印刷位置に装填されるときには、版胴が装填の最終位置に達する少し手前にて腕部材１７２の下端は再びポスト２０８のＵ字型断面内に収まり、その後はスラストボックス１８４は腕部材１７２により押されて裏押しローラ１９０と共に右方へ幾分移動して止まる。その間スラストボックス１８４はポスト２０８を経て案内装置２１０により案内された状態に維持される。
【００３３】
印刷が開始され、版胴の回転に同期して裏押しローラ１９０が図５に示された位置とこれより上方へ偏倚した位置との間に往復動されるときには、ポスト２０８はその外側を案内装置２１０との係合により又その内側を腕部材１７２との係合により案内された状態にてこれら両者に対して上下に移動する。
【００３４】
尚、図４及び図５の実施例に於いては、インク付けローラ１３２はその両端部にて軸１３４及び１３６により端板４２及び第一の枠体３６より延在する腕部２１２に軸受２１４及び２１６を経て装着されている。この場合インク付けローラ１３２の中心軸線の位置は不動であり、インク付けローラ１３２の外周面は常時は版胴の多孔シート２０よりなる外周壁の内面より僅かに離れており、印刷時には多孔シート２０よりなる版胴外周壁の裏押しローラ１９０に対向する部分が該裏押しローラにより押されて半径方向内向きに偏倚することによりインク付けローラ１３２と接するようになっている。
【００３５】
かくして上記二つの実施例のいずれに於ても、印刷位置に装填された版胴が印刷の横位置の調節のために機枠に対し軸線方向に移動されると、その移動はそのまま腕部材１７２を経て裏押しローラ１６０又は１９０の対応する軸線方向移動を生ぜしめ、版胴の周壁に対する裏押しローラの軸線方向相対位置は常に不変に保たれる。
【００３６】
以上に於いては本発明を二つの実施例について詳細に説明したが、これらの実施例について本発明の範囲内にて種々の修正が可能であることは当業者にとって明らかであろう。
【図面の簡単な説明】
【図１】本発明による印刷画像左右位置調節機構を備えた版胴式印刷装置を孔版印刷機に於て実施した一つの実施例を示す解図的平断面図。
【図２】図１の装置を図１の断面II−IIに於て矢印方向に見た解図的断面図。
【図３】図１の装置を図１の断面III−IIIに於て矢印方向に見た解図的断面図。
【図４】本発明の他の一つの実施例を示す図２に対応する解図的断面図。
【図５】図４の実施例についての図３に対応する解図的断面図。
【符号の説明】
１０…機枠
１２…版胴
１４…皿状部材
１６…環状部材
１８…横桁部材
２０…多孔シート
２２…歯車部材
２４…孔
２６…孔
２８…環軌道
３０…第一の軸部
３２…第二の軸部
３４…第三の軸部
３６…第一の枠体
３８…中心軸線
４０…ラジアル／スラスト軸受
４２…端板
４４，４６，４８，５０…ローラ
５２，５４…環状歯
５６…軸
５８，６０…ピニオン
６２，６４…アーム
６６…第二の枠体
６８…端辺部
７０…孔
７２…軸受
７４…ナット部材
７６…軸部
７８…ねじ孔
８０…歯車部
８２，８４…ピニオン
８６…ステップモータ
８８…端辺部
９０，９２…孔
９４，９６…摺動案内要素
９８，１００…側辺部
１０２，１０４…バー
１０６，１０８…案内レール
１１０，１１２…溝
１１４，１１６…枢軸
１１８，１２０…ロック部材
１２２，１２４…ばね要素
１２６，１２８…レバー部
１２７，１２９…ストッパ
１３０…棚部材
１３２…インク付けローラ
１３４，１３６…軸部
１３８，１４０…アクチュエータ
１４２，１４４…アーム
１４３，１４５…軸受
１４６…歯車
１５０，１５２…圧縮コイルばね
１５４…歯車
１５６…回転枢動手段
１５８…中心軸線
１６０…裏押しローラ
１６２…挟み領域
１６４…裏押しローラ軸
１６６，１６８…軸受装置
１７０…歯車
１７２…腕部材
１７４…枢軸
１７６…揺動レバー
１７８…枢軸
１８０…揺動レバー
１８２…スラスト軸受
１８４…スラストボックス
１８６…スラスト軸受
１８８…圧縮コイルばね
１９０…裏押しローラ
１９２…軸
１９４，１９６…揺動アーム
１９８，２００…軸受
２０２…軸
２０４…スラスト軸受
２０６…圧縮コイルばね
２０８…ポスト
２１０…案内装置
【図１】
0003637242.tif 000002
【図２】
0003637242.tif 000003
【図３】
0003637242.tif 000004
【図４】
0003637242.tif 000005
【図５】
0003637242.tif 000006